(57)【特許請求の範囲】
【請求項１】
膨張時にガスの流入を可能にする入口ポートを有する膨張性薄膜と、前記風船の内部で前記膨張性薄膜の内面に取り付けられた照明装置（５０）と、を備えるパーティ風船（１０）であって、
前記照明装置（５０）は
ハウジング（５６）と、
前記ハウジング（５６）内に取り付けられた発光装置（５２）と、
前記照明装置（５０）のハウジング（５６）内の前記発光装置（５２）に電力供給するために前記ハウジング（５６）内に取り付けられた少なくとも１つのバッテリ（５４）と、
を有し、
前記照明装置（５０）の前記ハウジング（５６）が突起（５８）を備えていることにより、前記風船の外側から前記突起に外嵌されるクリップまたはＯリング（５９）によって前記照明装置が前記風船の内側で前記膨張性薄膜に取り付けられ、
前記照明装置（５０）の前記ハウジング（５６）が絶縁材料の帯片（５３）を備え、前記帯片（５３）が、当初は複数のバッテリ（５４）と前記発光装置（５２）の間に配置されて前記入口を通って拡大幅の外端領域（５７）まで延びていることにより、前記帯片（５３）を前記少なくとも１つのバッテリ（５４）と前記照明装置（５２）の間の延在状態から引き出して、前記照明装置（５２）を点灯させ前記風船を発光させることが可能である
ことを特徴とするパーティ風船。
【請求項２】
前記絶縁材料の帯片（５３）の前記外端領域（５７）が、矢ヘッド状の拡大部の形をしていることを特徴とする請求項１に記載のパーティ風船。
【請求項３】
前記絶縁材料の帯片（５３）は、前記拡大外端領域（５７）から間隔を隔てた第２の拡大幅の領域（６７）を有し、
前記第２の領域（６７）の幅は、前記第２の領域が前記風船の前記入口ポートの内側にとどまる傾向にあるように選択されており、大きな力によって前記帯片を前記風船の外方に引っ張らない限り、前記風船薄膜のリム（１２）が前記それぞれの拡大幅領域（５７，６７）間にとどまっている、
ことを特徴とする請求項１に記載のパーティ風船。
【請求項４】
前記絶縁材料の帯片（５３）の前記第２の拡大幅の領域（６７）がほぼ円形である
ことを特徴とする請求項３に記載のパーティ風船。
【請求項５】
前記突起（５８）が略部分球状のビードまたは平坦なボタンの形をしていることを特徴とする先行する請求項のうちのいずれか１項に記載のパーティ風船。
【請求項６】
前記照明装置（５２）が発光ダイオード（ＬＥＤ）である
ことを特徴とする先行する請求項のうちのいずれか１項に記載のパーティ風船。
【発明の詳細な説明】
【技術分野】
【０００１】
本発明は、パーティ風船に関するものである。
【背景技術】
【０００２】
本発明の文脈では、「パーティ風船」という用語は、装飾目的または遊戯目的のみを対象とした風船を意味している。このような風船は、通常、空気、ヘリウム、またはこれらの混合気によって、膨らませるようになっている。空気によって膨らませるとき、これらの風船を、呼気によって直接膨らませるか、風船のネックに取り付けたポンプによって膨らませるか、または圧縮空気のボンベに一時的に接続することによって膨らませ、次いで、結び装置または他の留め装置による種々の周知の方法によって、密封すればよい。ヘリウムを用いて膨らませるときは、ネックを関連する圧縮ガスまたは混合ガスの供給源に、所望の膨張寸法が得られるまで、短時間接続させ、次いで、供給源から切り離し、縛ることになる。ヘリウムの使用は、装飾目的の風船を得るために、ますます一般的になってきている。このような風船は、空に浮かび、小さい重りに紐で繋ぐことによって繋ぎ留めることができ、または天井の高さまで上昇させることができる。
【０００３】
照明装置が内部に取り付けられた風船は、例えば、特許文献１，２，３において、すでに提案されている。
【先行技術文献】
【特許文献】
【０００４】
【特許文献１】米国特許出願公開第２００２／０１６４９１９号明細書
【特許文献２】米国特許出願公開第２００４／０１２７１３８号明細書
【特許文献３】国際公開第２００５／１０３５５７号
【発明の概要】
【発明が解決しようとする課題】
【０００５】
本発明の目的は、製造中の組立が特に簡単にされ、かつ用いるのが特に簡単にされた、コスト効率のよい代替的風船を提供することにある。
【課題を解決するための手段】
【０００６】
本発明は、膨張時にガスの流入を可能にする入口ポートを有する膨張性薄膜と、膨張性薄膜に取り付けられた照明装置と、を備えるパーティ風船において、照明装置は、突起を有しており、これによって、風船の外側から突起に外嵌されたクリップまたはＯリングによって、風船の内側において、膨張性薄膜に取り付けられていることを特徴とするパーティ風船を提供している。
【０００７】
好ましくは、照明装置は、少なくとも１つのバッテリによって電力が供給される発光ダイオード（ＬＥＤ）を備えており、絶縁材料が、当初、１つまたは複数のバッテリとＬＥＤとの間に配置されており、前記材料は、ＬＥＤを点灯し、風船を発光させるために、１つまたは複数のバッテリとＬＥＤとの間に延在している状態から引き出されることが可能になっている。
【０００８】
本発明の好ましい実施形態では、絶縁材料の帯片が、当初、１つまたは複数のバッテリとＬＥＤとの間に配置されており、次いで、前記帯片は、風船の膨張前または膨張時に、１つまたは複数のバッテリとＬＥＤとの間に延在している状態から引き出されるようになっている。
【０００９】
本発明の範囲内における代替的実施形態では、膨張性薄膜のある領域が、当初、１つまたは複数のバッテリとＬＥＤとの間に、風船の膨張時に前記領域が自動的に１つまたは複数のバッテリとＬＥＤとの間に延在している状態から引き出されるように、配置されていてもよい。しかし、これは、製造中に、薄膜領域がＬＥＤ接点間に位置することによって、薄膜に損傷をもたらす危険があるので、あまり好ましくない。
【００１０】
照明装置は、安全の理由から、特に、離脱または誤作動を最小限にするために、ならびに人間工学的な理由および美学的な理由から、風船の内側に取り付けられている。
【００１１】
好ましい実施形態では、絶縁材料の帯片は、入口ポートで手が届き得るように延在していると便利であり、または入口ポートを通って延在していると、帯片を掴み、ＬＥＤを点灯し、風船を発光させるために、１つまたは複数のバッテリとＬＥＤとの間に延在している状態から引き出すことが容易になるので、便利である。好ましくは、帯片は、風船の入口ポート（ネック）の外側にとどまって容易に手で掴まれるタブをもたらす拡大幅の領域を、その外端に有しているとよい。また一方、使用前の膨張していない風船の搬送および取扱い中に帯片が不用意に引き出されるのを防ぐために、好ましくは、帯片は、第１のこのような領域から間隙を隔てた第２の拡大幅の領域を有しているとよい。前記第２の領域の幅は、第２の領域が風船の入口ポート（ネック）の内側にとどまる傾向にあるように選択され、風船薄膜のリムが、大きな力によって帯片を風船の外方に引っ張らない限り、それぞれの拡大幅領域間にとどまるようになっているとよい。
【００１２】
他の実施形態では、絶縁材料の帯片は、風船の膨張時に、前記帯片が１つまたは複数のバッテリとＬＥＤとの間に延在している状態から自動的に引き出されるように、薄膜または入口ポートに接続されていてもよい。
【００１３】
以下、添付の図面を参照して、例を挙げて、本発明をさらに説明する。
【図面の簡単な説明】
【００１４】
【図１】膨張前の状態にある本発明による照明装置を内蔵しているパーティ風船の第１の具体的な実施形態を示す図である。
【図２】膨張し始めた状態にある該風船を示す図である。
【図３】膨張した時点の該風船を示す図である。
【図４】本発明の風船の変更形態における、照明装置が取り付けられている風船の領域の拡大部分透視図である。
【図５】図１の風船に用いられる絶縁帯片の拡大平面図である。
【図６】図５の絶縁帯片の対応する透視図である。
【図７】図１における風船のネック内の初期位置にある図５，６の絶縁帯片を示す拡大部分断面図である。
【発明を実施するための形態】
【００１５】
図面に示されているように、小型のＬＥＤユニット５０の形態にある照明装置は、どのような従来の種類および材料であってもよい風船１０の内側に、装飾を目的としてこの風船を発光させるために取り付けられている。ユニット５０は、ハウジング５６内に取り付けられた高輝度ＬＥＤ５２および３つのボタン電池５４を備えている。ハウジング５６には、ビード状の突起５８が形成されている。この突起５８は、風船１０の外側からビード５８に外嵌されたＯリング５９によって、ハウジング５６が風船１０の内側に取り付けられることを可能にするものである。Ｏリング５９は、ごく小さい弾性バンドであるとよい。このような取付け具は、好ましくは、図示されているように、膨張時にガスを風船１０に流入させるネック１５から反対側の遠く離れた個所に位置している。
【００１６】
図１〜３の第１の実施形態では、ビード５８は、略部分球として示されている。図４に示されている変更形態では、ビード５８は、平坦なボタンの形態にある。これによって、風船の組立中またはその後の搬送中に、Ｏリング５９が外れる危険性を少なくすることができる。
【００１７】
ＬＥＤユニット５０に関して、回路を遮断するために、ＬＥＤ５２の接点とバッテリ５４との間に当初突出している絶縁材料の帯片５３が設けられている。この帯片５３の外端は、風船１０のネック１５内に捕捉され、ネック開口を容易に通過することができない矢ヘッド状の拡大部５７を前記外端に有している。従って、風船１０が膨張しようとするとき、風船１０のネック１５の外側で手が届く拡大部５７を引っ張ることによって、図２に示されているように、帯片５３を接点間から容易に引き出すことができる。実際、もし帯片５３が手でまたは機械的な手段によって取り出されないようになっているなら、風船が拡がるにつれて、帯片５３のこのような引出しが自動的に生じることになるだろう。帯片５３が引き出されると、バッテリ５４とＬＥＤ５２との間の回路が完結し、ＬＥＤ５２が点灯することになる。任意選択的に、ＬＥＤ５２の断続的な照明に適する回路手段が含まれていてもよく、これによって、バッテリの寿命を著しく向上させることができる。
【００１８】
風船が破裂した場合の損傷の危険をなくすために、軟質プラスチックの囲い（図示せず）が、照明ユニット５０に追加されてもよい。
【００１９】
図５，６は、絶縁材料の帯片５３の１つの具体的な形態を示している。この形態は、外端の矢ヘッド状の拡大部５７からわずかな間隙を隔てた第２の拡大領域６７を備え、ノッチ６５が、これらの拡大部５７，６７間に配置されている。第２の拡大部６７は、風船１０のネック１５の内側にとどまる傾向にある幅を有しており、大きい力によって帯片５３を風船の外方に引き出すまで、風船薄膜の厚い縁リム１２がノッチ６５内にとどまるようになっている。これによって、使用前の膨張していない風船の搬送および取扱い中の帯片５３の不用意な引出しを防ぐことができる。
【００２０】
前述の説明は、例示にすぎず、本発明の範囲を制限するものではなく、他の実施形態において、細部の変更が可能である。特に、絶縁材料の帯片は、図５，６，７に示されているよりも単純な形態、すなわち、いずれの拡大幅領域をも有していない形態であってもよい。また、照明装置の形態は、例示的な実施形態から異なっていてもよい。ビード５８は、異なる形状の突起に置き換えられてもよいし、Ｏリング５９は、クリップに置き換えられてもよい。
【図１】
0005253421.tif 000002
【図２】
0005253421.tif 000003
【図３】
0005253421.tif 000004
【図４】
0005253421.tif 000005
【図５】
0005253421.tif 000006
【図６】
0005253421.tif 000007
【図７】
0005253421.tif 000008